(57)【要約】【課題】録画途中にコピー制限情報が変化した場合でも録画を失敗することのないハードディスクドライブ一体型光ディスク装置を提供することである。【解決手段】ＨＤＤ記録再生部１８と、ＤＶＤ記録再生部１９と、ＤＶＤがＣＰＲＭ対応ディスクであるか否かを判別したり、テレビ放送信号のコピー制限情報を判別したりする記録制限処理部２７とを備え、テレビ放送のコンテンツをＣＰＲＭ非対応のＤＶＤに録画開始する時に、コピー制限情報からcopy once信号を検出した場合、ＤＶＤへの録画に代えて、ＨＤＤへの録画を実行し、ＨＤＤへ録画している最中に、コピー制限情報からcopy free信号を検出した場合、ＨＤＤへの録画を中断し、ＤＶＤへの録画を実行し、ＤＶＤへ録画している最中に、コピー制限情報からcopy once信号を検出した場合、ＤＶＤへの録画を中断し、ＨＤＤへの録画を実行する構成とする。【選択図】図１
2007213638.tif 000002
【特許請求の範囲】
【請求項１】
コンテンツを記録再生するハードディスクドライブ記録再生部と、コンテンツを記録再生するＤＶＤ記録再生部と、ＤＶＤがＣＰＲＭ対応ディスクであるか否かを判別したり、テレビ放送信号のコピー制限情報を判別したりする記録制限処理部とを備えたハードディスクドライブ一体型光ディスク装置において、
テレビ放送のコンテンツをＣＰＲＭ非対応のＤＶＤに録画開始する時に、コピー制限情報からcopy once信号を検出した場合、前記ＤＶＤへの録画に代えて、前記ハードディスクドライブへの録画を実行し、
前記ハードディスクドライブへ録画している最中に、コピー制限情報からcopy free信号を検出した場合、前記ハードディスクドライブへの録画を中断し、前記ＤＶＤへの録画を実行し、
前記ＤＶＤへ録画している最中に、コピー制限情報からcopy once信号を検出した場合、前記ＤＶＤへの録画を中断し、前記ハードディスクドライブへの録画を実行することを特徴とするハードディスクドライブ一体型光ディスク装置。
【請求項２】
コンテンツを記録再生するハードディスクドライブ記録再生部と、コンテンツを記録再生する光ディスク記録再生部と、光ディスクが不正コピー防止対応ディスクであるか否かを判別したり、テレビ放送信号のコピー制限情報を判別したりする記録制限処理部とを備えたハードディスクドライブ一体型光ディスク装置において、
テレビ放送のコンテンツを不正コピー防止非対応の光ディスクに録画している最中に、コピー制限情報からcopy once信号を検出した場合、前記光ディスクへの録画を中断し、前記ハードディスクドライブへの録画を実行することを特徴とするハードディスクドライブ一体型光ディスク装置。
【請求項３】
前記ハードディスクドライブへ録画している最中に、コピー制限情報からcopy free信号を検出した場合、前記ハードディスクドライブへの録画を中断し、前記光ディスクへの録画を実行することを特徴とする請求項２記載のハードディスクドライブ一体型光ディスク装置。
【請求項４】
テレビ放送のコンテンツを不正コピー防止非対応の光ディスクに録画開始する時に、コピー制限情報からcopy once信号を検出した場合、前記光ディスクへの録画に代えて、前記ハードディスクドライブへの録画を実行することを特徴とする請求項２又は３記載のハードディスクドライブ一体型光ディスク装置。
【発明の詳細な説明】
【技術分野】
【０００１】
本発明は、録画可能なハードディスクドライブと録画可能な光ディスク装置とを備えたハードディスクドライブ一体型光ディスク装置に関する。
【背景技術】
【０００２】
近年、家庭でのテレビ放送のコンテンツの録画にはＤＶＤ等の光ディスク装置やハードディスクレコーダが用いられるようになっている。それに伴い、ＤＶＤ等の光ディスク装置とハードディスクレコーダとを１つの筐体に搭載したハードディスクドライブ一体型光ディスク装置も登場している。
【０００３】
ところで、著作権保護の観点からテレビ放送にはコピー制限情報が含まれている。このコピー制限情報には３つあり、１つ目は録画回数自由（copy free）である。これは録画を何度行ってもよいということで、つまりコピーが自由にできることである。２つ目は録画回数１回のみ（copy once）であり、これはコピー回数を１回のみに制限することである。３つ目は録画不可（copy never）であり、これは録画に関して一切できないことである。
【０００４】
テレビ放送をＤＶＤに録画しようとする場合、上記のコピー制限情報が問題となる。一般的な光ディスク装置では録画予約する際に録画可能であるかどうかの確認のために、ＤＶＤの不正コピー防止のための技術であるＣＰＲＭ（content protection for recordable media）を使用していないからである。従って、装置に挿入されているＤＶＤがＣＰＲＭ非対応である場合、実際には録画できないにもかかわらず、録画予約が可能となっている。
【０００５】
例えば、記録可能なＤＶＤの中でＤＶＤ−ＲＡＭ、ＤＶＤ−ＲＷ（version2.0）、ＤＶＤ−ＲはＣＰＲＭ対応であり、録画回数１回のみのコンテンツを録画する際、他のＤＶＤファミリーにコピーできない形で記録している。一方、ＤＶＤ−ＲＷ（version1.0）はＣＰＲＭ非対応であり、録画回数１回のみのコンテンツは録画できない。
【０００６】
ここでユーザが、録画しようとするコンテンツ毎にそれぞれコピー制限情報を意識して録画することは、ユーザに煩雑な操作を強いる結果となり、ユーザにとって取り扱いが不便であるという問題がある。
【０００７】
そこで、特許文献１では、複数種の記録媒体がリムーバルとそうでないものがある場合、記録制限処理部、記録する媒体がリムーバルであり不正コピー防止に対応しておらず、且つデータ種別が録画回数１回のみの場合に、リムーバルである記録媒体には書かず、リムーバルでない記録媒体に書き込む処理を行う記録装置が開示されている。
【特許文献１】特開２００３−３１７３７７号公報（段落００２０）
【発明の開示】
【発明が解決しようとする課題】
【０００８】
上記特許文献１によれば、タイマー予約した場合の録画開始時の録画失敗は防ぐことができる。しかし、録画開始時にはコピー制限情報がcopy freeであったためＣＰＲＭ非対応のＤＶＤに録画中である場合に、途中でコピー制限情報がcopy onceになった場合にどのような動作をするかは記載されていない。この場合、そのままＤＶＤに録画することはできないので録画停止状態となれば、コンテンツの録画は途中で失敗したことになる。
【０００９】
本発明は、録画途中にコピー制限情報が変化した場合でも録画を失敗することのないハードディスクドライブ一体型光ディスク装置を提供することを目的とする。
【課題を解決するための手段】
【００１０】
上記目的を達成するために本発明は、コンテンツを記録再生するハードディスクドライブ記録再生部と、コンテンツを記録再生する光ディスク記録再生部と、光ディスクが不正コピー防止対応ディスクであるか否かを判別したり、テレビ放送信号のコピー制限情報を判別したりする記録制限処理部とを備えたハードディスクドライブ一体型光ディスク装置において、
テレビ放送のコンテンツを不正コピー防止非対応の光ディスクに録画している最中に、コピー制限情報からcopy once信号を検出した場合、前記光ディスクへの録画を中断し、前記ハードディスクドライブへの録画を実行することを特徴とする。
【００１１】
この構成によると、copy once信号を検出した場合でも、光ディスクからハードディスクドライブへ連続して録画される。
【００１２】
また本発明は、前記ハードディスクドライブへ録画している最中に、コピー制限情報からcopy free信号を検出した場合、前記ハードディスクドライブへの録画を中断し、前記光ディスクへの録画を実行することを特徴とする。
【００１３】
この構成によると、copy free信号を検出した場合には、ハードディスクドライブから光ディスクへ連続して録画される。
【００１４】
また本発明は、テレビ放送のコンテンツを不正コピー防止非対応の光ディスクに録画開始する時に、コピー制限情報からcopy once信号を検出した場合、前記光ディスクへの録画に代えて、前記ハードディスクドライブへの録画を実行することを特徴とする。
【００１５】
この構成によると、録画できないという状況を回避し、ハードディスクドライブへ録画される。
【００１６】
上記の本発明を具体化すると、コンテンツを記録再生するハードディスクドライブ記録再生部と、コンテンツを記録再生するＤＶＤ記録再生部と、ＤＶＤがＣＰＲＭ対応ディスクであるか否かを判別したり、テレビ放送信号のコピー制限情報を判別したりする記録制限処理部とを備えたハードディスクドライブ一体型光ディスク装置において、
テレビ放送のコンテンツをＣＰＲＭ非対応のＤＶＤに録画開始する時に、コピー制限情報からcopy once信号を検出した場合、前記ＤＶＤへの録画に代えて、前記ハードディスクドライブへの録画を実行し、
前記ハードディスクドライブへ録画している最中に、コピー制限情報からcopy free信号を検出した場合、前記ハードディスクドライブへの録画を中断し、前記ＤＶＤへの録画を実行し、
前記ＤＶＤへ録画している最中に、コピー制限情報からcopy once信号を検出した場合、前記ＤＶＤへの録画を中断し、前記ハードディスクドライブへの録画を実行する構成となる。
【発明の効果】
【００１７】
テレビ放送のコンテンツを不正コピー防止非対応の光ディスクに録画している最中に、コピー制限情報からcopy once信号を検出した場合、光ディスクへの録画を中断し、ハードディスクドライブへの録画を実行することにより、録画途中にコピー制限情報が変化しても録画を失敗することがなくなる。
【００１８】
更に、ハードディスクドライブへ録画している最中に、コピー制限情報からcopy free信号を検出した場合、ハードディスクドライブへの録画を中断し、光ディスクへの録画を実行することにより、可能な限り光ディスク装置に録画することができる。
【００１９】
不正コピー防止非対応の光ディスクに録画開始する時に、コピー制限情報からcopy once信号を検出した場合、光ディスクへの録画に代えて、ハードディスクドライブへの録画を実行することにより、録画を開始できないという状況を回避し、録画を失敗することがなくなる。
【発明を実施するための最良の形態】
【００２０】
図１は、ハードディスクドライブ（ＨＤＤ）一体型光ディスク装置の構成及びその周辺機器を示すブロック図である。ＨＤＤ一体型光ディスク装置１０には、テレビ等の表示装置１１やビデオデッキ等の外部装置１２が接続される。またＨＤＤ一体型光ディスク装置１０は、リモコン１３によって操作可能である。以下、光ディスクとしてＤＶＤを例に説明する。
【００２１】
ＨＤＤ一体型光ディスク装置１０は、テレビ放送信号を受信するアンテナ１５と、アンテナ１５で受信したテレビ放送信号を復調、デジタル化するチューナ１６と、チューナ１６から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データを記録したり、記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００２２】
また、制御部２６は、挿入されているＤＶＤが不正コピー防止のための技術であるＣＰＲＭ対応のディスクであるか否かを判別したり、テレビ放送信号のコピー制限情報を判別したりする記録制限処理部２７と、テレビ放送のコンテンツの予約録画を制御する予約管理部２８とを備えている。
【００２３】
上記のＨＤＤ一体型光ディスク装置１０において、ユーザによりＨＤＤ又はＤＶＤへの録画が指示された場合の録画動作について説明する。アンテナ１５で受信されたテレビ放送信号はチューナ１６で復調、デジタル化され、画像音声データが画像音声圧縮伸長部１７に送信される。画像音声圧縮伸長部１７は画像音声データをＭＰＥＧ２等に準拠して圧縮符号化し、指定されたＨＤＤ記録再生部１８又はＤＶＤ記録再生部１９に送信し、ＨＤＤ記録再生部１８の場合はハードディスクに、ＤＶＤ記録再生部１９の場合はＤＶＤに、圧縮された画像音声データを記録する。
【００２４】
上記のＨＤＤ一体型光ディスク装置１０において、ユーザによりＨＤＤへの録画が指定された場合、制御部２６に録画開始の指示が届けばＨＤＤへの録画を開始する。録画開始の指示には、予約管理部２８が管理している予約録画の開始時間になった場合に録画開始を指示する場合と、リモコン１３やＨＤＤ一体型光ディスク装置１０の操作パネル（不図示）がユーザにより操作されてリアルタイムの録画の指示があった場合とが含まれる。
【００２５】
そして、制御部２６に録画終了の指示が届けばＨＤＤへの録画を終了する。録画終了の指示には、予約管理部２８が管理している予約録画の終了時間になった場合に録画終了を指示する場合と、リモコン１３やＨＤＤ一体型光ディスク装置１０の操作パネル（不図示）がユーザにより操作されてリアルタイムに録画終了の指示があった場合とが含まれる。
【００２６】
次に、上記のＨＤＤ一体型光ディスク装置１０において、ユーザによりＤＶＤへの録画が指定された場合の録画動作について説明する。図２は、ＤＶＤへの録画が指定された場合のＨＤＤ一体型光ディスク装置１０の録画動作を示すフローチャートである。まず、ステップＳ１０において、録画開始が指示されたか否かを制御部２６で判定する。録画開始の指示には、予約管理部２８が管理している予約録画の開始時間になった場合に録画開始を指示する場合と、リモコン１３やＨＤＤ一体型光ディスク装置１０の操作パネル（不図示）がユーザにより操作されてリアルタイムの録画の指示があった場合とが含まれる。
【００２７】
ステップＳ１０において録画開始の指示があると、ステップＳ１１へ進んで、所望のテレビ放送信号を受信し、記録制限処理部２７でその信号中のコピー制限情報を判別する。ステップＳ１１において判別した結果、copy once信号が検出されれば、ＣＰＲＭ対応のディスクでなければ録画できないので、ステップＳ１２へ進んで挿入中のＤＶＤがＣＰＲＭ対応のディスクか否かを判別する。ステップＳ１２での判別の結果、ＣＰＲＭ対応のディスクである場合は、ステップＳ１３へ進んでＤＶＤへの録画を開始する。一方、ステップＳ１２での判別の結果、ＣＰＲＭ非対応のディスクである場合は、ＤＶＤへの録画をあきらめ、ステップＳ１４へ進んでＨＤＤへの録画を開始する。
【００２８】
また、ステップＳ１１において判別した結果、copy free信号が検出されれば、ＣＰＲＭ非対応のディスクであっても録画可能であるので、ステップＳ１３へ進んでＤＶＤへの録画を開始する。
【００２９】
ＤＶＤ又はＨＤＤへの録画が開始されると、ステップＳ１３又はステップＳ１４からステップＳ１５へ進んで、録画終了が指示されたか否かを判定する。録画終了の指示には、予約管理部２８が管理している予約録画の終了時間になった場合に録画終了を指示する場合と、リモコン１３やＨＤＤ一体型光ディスク装置１０の操作パネル（不図示）がユーザにより操作されてリアルタイムに録画終了の指示があった場合とが含まれる。
【００３０】
そして、ステップＳ１５において録画終了の指示があると、ステップＳ１６へ進んで、ＤＶＤ又はＨＤＤへの録画を停止し、録画動作を終了する。一方、ステップＳ１５において録画終了の指示がない場合は、ステップＳ１１に戻る。そして、録画終了の指示があるまで、ステップＳ１１からステップＳ１５の処理を繰り返し、適宜、ＨＤＤからＤＶＤへ又はＤＶＤからＨＤＤへ録画先を切り替えながら録画する。
【００３１】
なお、ステップＳ１１において、コピー制限情報からcopy never信号を検出した場合は、録画を停止する。
【００３２】
ここで、図２の録画動作において、挿入中のＤＶＤがＣＰＲＭ非対応のディスクである場合の実施例について説明する。ステップＳ１０において録画開始の指示があると、ステップＳ１１へ進んで、所望のテレビ放送信号のコピー制限情報を判別し、copy once信号が検出されれば、ステップＳ１２へ進んで、ＣＰＲＭ非対応のディスクと判別され、ステップＳ１４へ進んでＨＤＤへの録画を開始する。
【００３３】
ＨＤＤへの録画が開始されると、ステップＳ１４からステップＳ１５へ進んで、録画終了が指示されたか否かを判定し、録画終了の指示がない場合は、ステップＳ１１に戻り再びコピー制限情報を判別する。ステップＳ１１においてcopy free信号が検出されれば、ＣＰＲＭ非対応のディスクであっても録画可能であるので、ステップＳ１３へ進んでＨＤＤへの録画を中断し、ＤＶＤへの録画に切り替える。
【００３４】
そして、ステップＳ１５を経て再びステップＳ１１に戻ってコピー制限情報を判別し、再びcopy once信号が検出されれば、ステップＳ１２を経てステップＳ１４へ進み、ＤＶＤへの録画を中断し、ＨＤＤへの録画に切り替える。
【００３５】
このように、ユーザによりＤＶＤへの録画が指定されている場合でも、挿入中のＤＶＤがＣＰＲＭ非対応のディスクであって、copy once信号を検出したときは、ＨＤＤへ代替録画し、copy free信号を検出したときはＤＶＤへ録画し、録画中にＤＶＤとＨＤＤとを適宜切り替えながら録画する。これにより、録画途中にコピー制限情報が変化しても録画を失敗することがなくなる。
【産業上の利用可能性】
【００３６】
本発明は、録画可能なハードディスクドライブと録画可能な光ディスク装置とを備えたＨＤＤ一体型光ディスク装置に利用することができ、例えば、ＨＤＤ一体型ＤＶＤ装置に用いることができる。
【図面の簡単な説明】
【００３７】
【図１】ＨＤＤ一体型光ディスク装置の構成及びその周辺機器を示すブロック図である。
【図２】ＤＶＤへの録画が指定された場合のＨＤＤ一体型光ディスク装置の録画動作を示すフローチャートである。
【符号の説明】
【００３８】
１０    ハードディスクドライブ一体型光ディスク装置
１８    ＨＤＤ記録再生部
１９    ＤＶＤ記録再生部（光ディスク記録再生部）
２７    記録制限処理部
【図１】
2007213638.tif 000003
【図２】
2007213638.tif 000004